(57)【要約】【課題】通風性などに必要以上の配慮を要することなく、マイナスイオン付与製品を製造することができると共に、マイナスイオン効果と共に、細菌の発生しやすい使用状態においても、細菌に対応でき、健康増進に寄与し得る健康増進製品を提供すること、および前記の健康増進製品を容易に製造することができる転写紙を提供すること。【解決手段】マイナスイオン放出材と抗菌作用材とを有することを特徴とする健康増進製品、および台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙。【選択図】図５
0003105676.tif 000002
【実用新案登録請求の範囲】
【請求項１】
マイナスイオン放出材と抗菌作用材とを有することを特徴とする健康増進製品。
【請求項２】
前記マイナスイオン放出材が、トルマリンであることを特徴とする請求項１に記載の健康増進製品。
【請求項３】
前記抗菌作用材が、キトサンまたはコラーゲンであることを特徴とする請求項１または請求項２に記載の健康増進製品。
【請求項４】
前記健康増進製品が、履物の中敷であることを特徴とする請求項１ないし請求項３のいずれかに記載の健康増進製品。
【請求項５】
前記健康増進製品が、衣類または帽子であることを特徴とする請求項１ないし請求項３のいずれかに記載の健康増進製品。
【請求項６】
請求項１ないし請求項５のいずれかに記載の健康増進製品の製造に用いられる転写紙であって、台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙。
【考案の詳細な説明】
【技術分野】
【０００１】
本考案は、マイナスイオン放出材および抗菌作用材による複合的効果を有する健康増進製品、および前記健康増進製品の製造に用いる転写紙に関するものである。
【背景技術】
【０００２】
近年、社会生活の高度化により、空気中のプラスイオン濃度が高くなり易い傾向にある。空気中のプラスイオン濃度が高くなると、自律神経が失調状態となり、細胞膜における新陳代謝が低下し、肩こり、眩暈、耳鳴りなどの感覚障害、頭痛、集中力の欠如、倦怠感などの心身症の発生、さらに甚だしいときには神経痛、ノイローゼ、臓器不全など、健康にとって悪影響を及ぼす。
【０００３】
一方、プラスイオン雰囲気を緩和するマイナスイオンは、沈静的な作用を有し、沈痛、快眠、鎮咳、制汗、食欲増進、血圧降下、爽快感、疲労防止等の効果を有し、繊維製品などにマイナスイオン放出材を、接着、含浸、コーティングなどにより付与することが行われている。
【０００４】
しかし、この種の従来の製品は、マイナスイオン放出材の繊維製品などへの付与処理の結果、適切な通風性などを有した繊維製品を作ることが困難であった。このため、使用状態によっては、細菌が発生しやすかった。逆に、通風性などを重視して製造した場合、所望量のマイナスイオンの付与処理が困難になるという問題があり、両者のバランスを有した製品を製造するために、多くの条件を満たす必要があり、製造が困難であった。
【特許文献１】特開２００４−５７５０４号公報
【考案の開示】
【考案が解決しようとする課題】
【０００５】
本考案は、前記の問題を解決する健康増進製品であって、通風性などに必要以上の配慮を要することなく、マイナスイオン付与製品を製造することができると共に、マイナスイオン効果と共に、細菌の発生しやすい使用状態においても、細菌に対応でき、健康増進に寄与し得る健康増進製品を提供することを課題とする。
【０００６】
また、本考案は、前記の健康増進製品を容易に製造することができる転写紙を提供することを課題とする。
【課題を解決するための手段】
【０００７】
本考案は、請求項１として、マイナスイオン放出材と抗菌作用材とを有することを特徴とする健康増進製品を提供する。
【０００８】
本考案に基づく健康増進製品は、マイナスイオン放出材と共に、抗菌作用材を有している。
【０００９】
このため、健康増進製品にマイナスイオン放出材を付与する場合に、健康増進製品が、厚くなったり、メッシュ度が高くなったりし、通風性などに多少の問題が生じ、細菌が発生しやすい状態になっても、抗菌作用材により、細菌に対応することができる。
【００１０】
このことは、逆に、マイナスイオン放出材を付与する場合に、製品の厚さ、メッシュ度などに必要以上の配慮をする必要がなく、適切な量のマイナスイオン放出材を付与する処理条件の自由度が増すことを意味する。
【００１１】
本考案におけるマイナスイオン放出材は、マイナスイオンを放出する物質であれば、特に制限されない。
【００１２】
マイナスイオン放出材は、トルマリンやチタンの様な自然界に存在するものであってもよく、マイナスイオン発生器などにより、人工的に製造されたマイナスイオン放出材であってもよい。しかし、コスト、マイナスイオン放出度などから、一般的には、トルマリンを用いることが好ましい。
【００１３】
請求項２は、この好ましい態様に該当し、前記の健康増進製品であって、前記マイナスイオン放出材が、トルマリンであることを特徴とする健康増進製品を提供する。
【００１４】
本考案における抗菌作用材は、抗菌作用を有する物質であれば、特に制限されない。
【００１５】
抗菌作用を有する物質としては、いわゆる抗菌剤が代表的に挙げられる。抗菌剤には、無機系抗菌剤と、有機系抗菌剤があるが、本考案においては、特に制限されない。
【００１６】
無機系抗菌剤としては、代表的には、抗菌性金属の銀、亜鉛、銅を使用し、ゼオライト、セラミックス、シリカゲルなどを担体として使用した抗菌剤が挙げられる。
【００１７】
これらの抗菌性金属を用いた無機系抗菌剤は、耐牲菌を作らない、耐熱性が高い、耐久性がよいなどの利点があるが、貴金属類であるためコストがかかるという問題があり、また有機系抗菌剤と比較した場合、抗菌力が弱く、主に菌の増殖を食い止める程度の静菌作用を示す程度に留まる。
【００１８】
一方、有機系抗菌剤としては、非溶出性抗菌剤、溶出性抗菌剤、天然性抗菌剤が挙げられる。非溶出性抗菌剤は、有機シリコン、第４級アンモニウム塩などに対する親和性が高いため、加工後の安定性がよく、比較的皮膚ヘの影響が少ないが、コストがやや高い。
【００１９】
溶出性抗菌剤は、抗菌力は最も強く殺菌力があるが、アレルギ−などの可能性もあり、皮膚ヘの影響が最も強く、用途により安全性を十分チェックしたうえで使用する必要がある。
【００２０】
天然性抗菌剤は、無機系抗菌剤より、抗菌力を有するが、非溶出性抗菌剤、溶出性抗菌剤よりは、抗菌力が弱い。しかし、逆に、適度の抗菌力を有するため、アレルギ−などの問題を引き起こす可能性も少なく、コスト的にも有利であり、肌に接する衣類などには、好適である。
【００２１】
このような天然性抗菌剤としては、甲殻類などから抽出されるキトサン、わさびから抽出されるアリルカラシ油、ヒバの木から抽出されるヒノキチオ−ル、竹の木から抽出される竹エキス、大豆などの穀類から抽出される殻物エキスなどが挙げられるが、衣類などに使用する素材には、抗菌力などの点より、甲殻類などから抽出されるキトサンが好ましい。
【００２２】
キトサンは、一般的には、カニやエビの甲殻や昆虫の外皮、イカ・貝などの軟体動物の器官、キノコなど菌類の細胞壁などの生体高分子から、炭酸カルシウム、タンパク質、色素などを除いて精製したキチンから、さらにアセチル基を外して、抽出精製して得られる。特に、カニの甲殻が好ましく使用される。なお、キチンとキトサンの混合物であるキチン・キトサンを使用してもよい。
【００２３】
なお、近年、繊維状タンパク質の一種であるコラーゲンが、身体に対する適度の抗菌力を有する物質として着目されており、本考案の健康増進製品に対しても好ましい。
【００２４】
請求項３は、上記の好ましい態様に該当し、前記の健康増進製品であって、前記抗菌作用材が、キトサンまたはコラーゲンであることを特徴とする健康増進製品を提供する。
【００２５】
本考案の健康増進製品は、マイナスイオン放出材と抗菌作用材とを必須の要件とするが、必要に応じて、他の健康増進材を複合させてもよい。例えば、岩塩の粉末を希釈した岩塩希釈水は、アトピー肌、便秘、貧血、血行不良などに効果があり、マイナスイオン放出材、抗菌作用材と併用することにより、複合ないし相乗効果を発揮する。
【００２６】
本考案のマイナスイオン放出材と抗菌作用材とを有することを特徴とする健康増進製品は、各種の健康増進製品に適用することが可能であるが、特に履物の中敷に適用することが好ましい。履物、特に靴の中は、熱放散性が悪く、細菌が発生しやすい。しかし、靴下には素材の制限から、マイナスイオン放出材や抗菌作用材の付与量や処理条件に制限がある。一方、履物の中敷の場合は、前記制限が比較的少ないため、十分なマイナスイオン放出材や抗菌作用材の付与が可能であり、処理条件の自由度も大きい。マイナスイオン放出材は、圧力、摩擦、熱などが結晶に加わるほどマイナスイオンを発生しやすく、履物の中敷の場合、圧力、熱などが、マイナスイオン放出材の結晶に加わりやすいため、マイナスイオン効果が大きい。特に、中敷表面に突起物を設け、突起物にトルマリン含浸液や トルマリン粉末をコーティングすることにより、つぼ効果と共に、大きなマイナスイオン効果を得ることができる。
【００２７】
請求項４は、上記の態様に該当し、前記の健康増進製品であって、前記健康増進製品が、履物の中敷であることを特徴とする健康増進製品を提供する。
【００２８】
本考案のマイナスイオン放出材と抗菌作用材とを有することを特徴とする健康増進製品は、衣類に適用することも好ましい。衣類の中でも、肌着、スポーツシャツ、Ｔシャツ、靴下などに適用することが好ましい。前記の通り、マイナスイオン放出材は、圧力、摩擦、熱などがマイナスイオン放出材の結晶に加わるほどマイナスイオンを発生しやすい。一方、衣類は汗を吸収しやすい。このため、衣類は、マイナスイオン放出材によるマイナスイオン効果と、抗菌作用材による抗菌効果を、効果的に発揮できる。
【００２９】
また、靴下の場合、身体に直接触れると共に、靴の中での足の蒸れに対し、マイナスイオンの制汗、爽快感の効果が発揮され、また、抗菌作用材による抗菌効果が効果的に発揮される。
【００３０】
本考案の健康増進製品は、帽子に適用することも好ましい。帽子は、直接頭に被せて使用され、マイナスイオンが、直接、脳に働き、頭痛などの防止に大きなマイナスイオン効果を発揮する。また、帽子は、汗により細菌が発生しやすく、抗菌作用材による抗菌効果が大きく発揮できる。
【００３１】
マイナスイオン放出材の中でも、チタンは、光を受けることによるマイナスイオンの放出度が大きい。このため、本考案の健康増進製品を帽子に適用する場合には、マイナスイオン放出材として、チタンを用いることが好ましい。
【００３２】
請求項５は、上記の態様に該当し、前記の健康増進製品であって、前記健康増進製品が、衣類または帽子であることを特徴とする健康増進製品を提供する。
【００３３】
上記した健康増進製品へのマイナスイオン放出材および抗菌作用材の付与は、製品の素材自体にこれらの材料を含浸させてもよいが、転写紙による方法が効率的であり好ましい。このような転写紙としては、マイナスイオン放出材および抗菌作用材を含有する短繊維を付着させた転写紙が好ましい。
【００３４】
特に、台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙は、構造が簡素であり、コスト的にも有利である。なお、ここに言う熱接着剤とは、加熱により接着作用が行われる接着剤を言う。
【００３５】
請求項６は、この好ましい態様に該当し、前記健康増進製品の製造に用いられる転写紙であって、台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙を提供する。
【考案の効果】
【００３６】
本考案により、通風性などに必要以上の配慮を要することなく、マイナスイオン付与製品を製造することができると共に、細菌に対しても対応でき、健康増進に寄与し得る健康増進製品を提供することができる。
【００３７】
さらに、本考案による転写紙により、本考案の健康増進製品を容易に製造することができる。
【考案を実施するための最良の形態】
【００３８】
以下に本考案を実施するための最良の形態を示すが、本考案は下記の形態に限定されるものではない。なお、図１ないし図５は、本考案の転写紙の製造方法の説明図であり、図６および図７は、本考案の転写紙の使用方法の説明図である。
【００３９】
はじめに、図１に示される通り、台紙１上の所望のエリアに接着剤２を付着させる。接着剤２は、最終的に、後述の短繊維３から剥離するため、剥離可能な接着剤を用いる。接着剤２の付着方法は、特に制限されないが、スクリーン印刷が例示される。
【００４０】
次に、マイナスイオン放出材および抗菌作用材を含有する短繊維３を、図２に示される通り、台紙１上に散布する。なお、短繊維３は、例えば、繊維とマイナスイオン放出材および抗菌作用材の粉体を、界面活性剤とともに煮沸して、繊維表面に付着させるなどの方法により得ることができる。
【００４１】
次に、ブラシあるいは圧搾空気などにより、図３に示される通り、接着剤２に付着していない短繊維３を除去し、その後、接着剤２を硬化させる。接着剤２の硬化は、接着剤２の材質により、自然硬化や加熱による硬化により行う。
【００４２】
次に、短繊維３上に樹脂を付着させる。樹脂の付着は、例えば以下の方法による。
【００４３】
図４に示される通り、台紙１上の接着剤２の付着部分と同形状に形成された凹部５を外面に有するローラー４を準備する。
【００４４】
次に、ローラー４の凹部５に、樹脂６を加熱して付着させる。
【００４５】
次に、ローラー４を、台紙１に近接させて、回転させ、台紙１上の接着剤２に付着した短繊維３上に、樹脂６を付着させる。樹脂６は、熱可塑性樹脂であれば特に制限されない。
【００４６】
次に、樹脂６が硬化する前に、ナイロン粉体などの加熱により接着作用が行われる熱接着剤７を、台紙１上に散布する。
【００４７】
次に、ブラシあるいは圧搾空気などにより、樹脂６に付着していない熱接着剤７を除去し、その後、樹脂６を硬化させ、樹脂６上に、熱接着剤７を強固に付着させる。
【００４８】
以上の工程により、図５に示されるマイナスイオン放出材および抗菌作用材を含有する転写紙８が得られる。
【００４９】
次に、転写紙８を、図６に示される通り、マイナスイオン放出材および抗菌作用材を付与する製品、例えば肌着９の上に置き、アイロンなどにより、加圧すると共に、加熱する。
【００５０】
これにより、熱接着剤７が溶けながら、転写紙８が肌着９上に接着する。
【００５１】
そして、第７図に示される通り、台紙１を接着剤２と共に、短繊維３から剥離する。
【００５２】
この様にして、肌着９上に形成されたマイナスイオン放出材および抗菌作用材を含有する短繊維３は、樹脂６に強固に支持されているため、肌着９から簡単に脱落することがない。
【００５３】
以上の様に、本考案の転写紙を用いることにより、マイナスイオン効果および抗菌効果を有する本考案の健康増進製品を容易に製造することができる。
【図面の簡単な説明】
【００５４】
【図１】本考案の転写紙の製造方法の説明図である。
【図２】本考案の転写紙の製造方法の説明図である。
【図３】本考案の転写紙の製造方法の説明図である。
【図４】本考案の転写紙の製造方法の説明図である。
【図５】本考案の転写紙の製造方法の説明図である。
【図６】本考案の転写紙の使用方法の説明図である。
【図７】本考案の転写紙の使用方法の説明図である。
【符号の説明】
【００５５】
１  台紙
２  接着剤
３  短繊維
４  ローラー
５  凹部
６  樹脂
７  熱接着剤
８  転写紙
９  肌着
【図１】
0003105676.tif 000003
【図２】
0003105676.tif 000004
【図３】
0003105676.tif 000005
【図４】
0003105676.tif 000006
【図５】
0003105676.tif 000007
【図６】
0003105676.tif 000008
【図７】
0003105676.tif 000009
【手続補正書】
【提出日】平成16年8月3日(2004.8.3)
【手続補正１】
【補正対象書類名】実用新案登録請求の範囲
【補正対象項目名】全文
【補正方法】変更
【補正の内容】
【実用新案登録請求の範囲】
【請求項１】
履物の中敷の素材中にマイナスイオン放出材と抗菌作用材とを含浸させたこと、または前記履物の中敷の素材の表面にマイナスイオン放出材と抗菌作用材とを含有する層を接着させたことを特徴とする履物の中敷。
【請求項２】
衣類または帽子の素材中にマイナスイオン放出材と抗菌作用材とを含浸させたこと、または前記衣類または帽子の素材の表面にマイナスイオン放出材と抗菌作用材とを含有する層を接着させたことを特徴とする衣類または帽子。
【請求項３】
枕または枕カバーの素材中にマイナスイオン放出材と抗菌作用材とを含浸させたこと、または前記枕または枕カバーの素材の表面にマイナスイオン放出材と抗菌作用材とを含有する層を接着させたことを特徴とする枕または枕カバー。
【請求項４】
前記マイナスイオン放出材が、トルマリンであることを特徴とする請求項１ないし請求項３のいずれかに記載の健康増進製品。
【請求項５】
前記抗菌作用材が、キトサンまたはコラーゲンであることを特徴とする請求項１ないし請求項４のいずれかに記載の健康増進製品。
【請求項６】
請求項１ないし請求項５のいずれかに記載の健康増進製品の製造に用いられる転写紙であって、台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙。
【手続補正２】
【補正対象書類名】明細書
【補正対象項目名】全文
【補正方法】変更
【補正の内容】
【考案の詳細な説明】
【技術分野】
【０００１】
本考案は、マイナスイオン放出材および抗菌作用材による複合的効果を有する履物の中敷、衣類、帽子、枕、枕カバーなどの健康増進製品、および前記健康増進製品の製造に用いる転写紙に関するものである。
【背景技術】
【０００２】
近年、社会生活の高度化により、空気中のプラスイオン濃度が高くなり易い傾向にある。空気中のプラスイオン濃度が高くなると、自律神経が失調状態となり、細胞膜における新陳代謝が低下し、肩こり、眩暈、耳鳴りなどの感覚障害、頭痛、集中力の欠如、倦怠感などの心身症の発生、さらに甚だしいときには神経痛、ノイローゼ、臓器不全など、健康にとって悪影響を及ぼす。
【０００３】
一方、プラスイオン雰囲気を緩和するマイナスイオンは、沈静的な作用を有し、沈痛、快眠、鎮咳、制汗、食欲増進、血圧降下、爽快感、疲労防止等の効果を有し、繊維製品などにマイナスイオン放出材を、接着、含浸、コーティングなどにより付与することが行われている。
【０００４】
しかし、この種の従来の製品は、マイナスイオン放出材の繊維製品などへの付与処理の結果、適切な通風性などを有した繊維製品を作ることが困難であった。このため、使用状態によっては、細菌が発生しやすかった。逆に、通風性などを重視して製造した場合、所望量のマイナスイオンの付与処理が困難になるという問題があり、両者のバランスを有した製品を製造するために、多くの条件を満たす必要があり、製造が困難であった。
【特許文献１】特開２００４−５７５０４号公報
【考案の開示】
【考案が解決しようとする課題】
【０００５】
本考案は、前記の問題を解決する健康増進製品であって、通風性などに必要以上の配慮を要することなく、マイナスイオン付与製品を製造することができると共に、マイナスイオン効果と共に、細菌の発生しやすい使用状態においても、細菌に対応でき、健康増進に寄与し得る健康増進製品を提供することを課題とする。
【０００６】
また、本考案は、前記の健康増進製品を容易に製造することができる転写紙を提供することを課題とする。
【課題を解決するための手段】
【０００７】
請求項１に記載の考案は、履物の中敷の素材中にマイナスイオン放出材と抗菌作用材とを含浸させたこと、または前記履物の中敷の素材の表面にマイナスイオン放出材と抗菌作用材とを含有する層を接着させたことを特徴とする履物の中敷である。
【０００８】
請求項２に記載の考案は、衣類または帽子の素材中にマイナスイオン放出材と抗菌作用材とを含浸させたこと、または前記衣類または帽子の素材の表面にマイナスイオン放出材と抗菌作用材とを含有する層を接着させたことを特徴とする衣類または帽子である。
【０００９】
請求項３に記載の考案は、枕または枕カバーの素材中にマイナスイオン放出材と抗菌作用材とを含浸させたこと、または前記枕または枕カバーの素材の表面にマイナスイオン放出材と抗菌作用材とを含有する層を接着させたことを特徴とする枕または枕カバーである。
【００１０】
請求項４に記載の考案は、前記マイナスイオン放出材が、トルマリンであることを特徴とする請求項１ないし請求項３のいずれかに記載の健康増進製品である。
【００１１】
請求項５に記載の考案は、前記抗菌作用材が、キトサンまたはコラーゲンであることを特徴とする請求項１ないし請求項４のいずれかに記載の健康増進製品である。
【００１２】
請求項６に記載の考案は、請求項１ないし請求項５のいずれかに記載の健康増進製品の製造に用いられる転写紙であって、台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙。
【考案の効果】
【００１３】
本考案により、通風性などに必要以上の配慮を要することなく、マイナスイオン付与製品を製造することができると共に、細菌に対しても対応でき、健康増進に寄与し得る健康増進製品を提供することができる。
【００１４】
さらに、本考案による転写紙により、本考案の健康増進製品を容易に製造することができる。
【考案を実施するための最良の形態】
【００１５】
本考案に基づく履物の中敷、衣類、帽子、枕、枕カバーなどの健康増進製品は、マイナスイオン放出材と共に、抗菌作用材を有している。
【００１６】
このため、健康増進製品にマイナスイオン放出材を付与する場合に、健康増進製品が、厚くなったり、メッシュ度が高くなったりし、通風性などに多少の問題が生じ、細菌が発生しやすい状態になっても、抗菌作用材により、細菌に対応することができる。
【００１７】
このことは、逆に、マイナスイオン放出材を付与する場合に、製品の厚さ、メッシュ度などに必要以上の配慮をする必要がなく、適切な量のマイナスイオン放出材を付与する処理条件の自由度が増すことを意味する。
【００１８】
本考案におけるマイナスイオン放出材は、マイナスイオンを放出する物質であれば、特に制限されない。
【００１９】
マイナスイオン放出材は、トルマリンやチタンの様な自然界に存在するものであってもよく、マイナスイオン発生器などにより、人工的に製造されたマイナスイオン放出材であってもよい。しかし、コスト、マイナスイオン放出度などから、一般的には、トルマリンを用いることが好ましい。
【００２０】
本考案における抗菌作用材は、抗菌作用を有する物質であれば、特に制限されない。
【００２１】
抗菌作用を有する物質としては、いわゆる抗菌剤が代表的に挙げられる。抗菌剤には、無機系抗菌剤と、有機系抗菌剤があるが、本考案においては、特に制限されない。
【００２２】
無機系抗菌剤としては、代表的には、抗菌性全属の銀、亜鉛、銅を使用し、ゼオライト、セラミックス、シリカゲルなどを担体として使用した抗菌剤が挙げられる。
【００２３】
これらの抗菌性全属を用いた無機系抗菌剤は、耐牲菌を作らない、耐熱性が高い、耐久性がよいなどの利点があるが、貴金属類であるためコストがかかるという問題があり、また有機系抗菌剤と比較した場合、抗菌力が弱く、主に菌の増殖を食い止める程度の静菌作用を示す程度に留まる。
【００２４】
一方、有機系抗菌剤としては、非溶出性抗菌剤、溶出性抗菌剤、天然性抗菌剤が挙げられる。非溶出性抗菌剤は、有機シリコン、第４級アンモニウム塩などに対する親和性が高いため、加工後の安定性がよく、比較的皮膚ヘの影響が少ないが、コストがやや高い。
【００２５】
溶出性抗菌剤は、抗菌力は最も強く殺菌力があるが、アレルギ−などの可能性もあり、皮膚ヘの影響が最も強く、用途により安全性を十分チェックしたうえで使用する必要がある。
【００２６】
天然性抗菌剤は、無機系抗菌剤より、抗菌力を有するが、非溶出性抗菌剤、溶出性抗菌剤よりは、抗菌力が弱い。しかし、逆に、適度の抗菌力を有するため、アレルギーなどの問題を引き起こす可能性も少なく、コスト的にも有利であり、肌に接する衣類などには、好適である。
【００２７】
このような天然性抗菌剤としては、甲殻類などから抽出されるキトサン、わさびから抽出されるアリルカラシ油、ヒバの木から抽出されるヒノキチオール、竹の木から抽出される竹エキス、大豆などの穀類から抽出される殻物エキスなどが挙げられるが、衣類などに使用する素材には、抗菌力などの点より、甲殻類などから抽出されるキトサンが好ましい。
【００２８】
キトサンは、一般的には、カニやエビの甲殻や昆虫の外皮、イカ・貝などの軟体動物の器官、キノコなど菌類の細胞壁などの生体高分子から、炭酸カルシウム、タンパク質、色素などを除いて精製したキチンから、さらにアセチル基を外して、抽出精製して得られる。特に、カニの甲殻が好ましく使用される。なお、キチンとキトサンの混合物であるキチン・キトサンを使用してもよい。
【００２９】
なお、近年、繊維状タンパク質の一種であるコラーゲンが、身体に対する適度の抗菌力を有する物質として着目されており、本考案の健康増進製品に対しても好ましい。
【００３０】
本考案の健康増進製品は、マイナスイオン放出材と抗菌作用材とを必須の要件とするが、必要に応じて、他の健康増進材を複合させてもよい。例えば、岩塩の粉末を希釈した岩塩希釈水は、アトピー肌、便秘、貧血、血行不良などに効果があり、マイナスイオン放出材、抗菌作用材と併用することにより、複合ないし相乗効果を発揮する。
【００３１】
本考案のマイナスイオン放出材と抗菌作用材とを有することを特徴とする健康増進製品は、各種の健康増進製品に適用することが可能であるが、特に履物の中敷に適用することが好ましい。履物、特に靴の中は、熱放散性が悪く、細菌が発生しやすい。しかし、靴下には素材の制限から、マイナスイオン放出材や抗菌作用材の付与量や処理条件に制限がある。一方、履物の中敷の場合は、前記制限が比較的少ないため、十分なマイナスイオン放出材や抗菌作用材の付与が可能であり、処理条件の自由度も大きい。マイナスイオン放出材は、圧力、摩擦、熱などが結晶に加わるほどマイナスイオンを発生しやすく、履物の中敷の場合、圧力、熱などが、マイナスイオン放出材の結晶に加わりやすいため、マイナスイオン効果が大きい。特に、中敷表面に突起物を設け、突起物にトルマリン含浸液や トルマリン粉末をコーティングすることにより、つぼ効果と共に、大きなマイナスイオン効果を得ることができる。
【００３２】
本考案のマイナスイオン放出材と抗菌作用材とを有することを特徴とする健康増進製品は、衣類に適用することも好ましい。衣類の中でも、肌着、スポーツシャツ、Ｔシャツ、靴下などに適用することが好ましい。前記の通り、マイナスイオン放出材は、圧力、摩擦、熱などがマイナスイオン放出材の結晶に加わるほどマイナスイオンを発生しやすい。一方、衣類は汗を吸収しやすい。このため、衣類は、マイナスイオン放出材によるマイナスイオン効果と、抗菌作用材による抗菌効果を、効果的に発揮できる。
【００３３】
また、靴下の場合、身体に直接触れると共に、靴の中での足の蒸れに対し、マイナスイオンの制汗、爽快感の効果が発揮され、また、抗菌作用材による抗菌効果が効果的に発揮される。
【００３４】
本考案の健康増進製品は、帽子に適用することも好ましい。帽子は、直接頭に被せて使用され、マイナスイオンが、直接、脳に働き、頭痛などの防止に大きなマイナスイオン効果を発揮する。また、帽子は、汗により細菌が発生しやすく、抗菌作用材による抗菌効果が大きく発揮できる。
【００３５】
マイナスイオン放出材の中でも、チタンは、光を受けることによるマイナスイオンの放出度が大きい。このため、本考案の健康増進製品を帽子に適用する場合には、マイナスイオン放出材として、チタンを用いることが好ましい。
【００３６】
本考案の健康増進製品は、枕あるいは枕カバーに適用することも好ましい。枕あるいは枕カバーは、帽子同様に直接頭に触れさせて使用され、マイナスイオンが、直接、脳に働き、頭痛などの防止に大きなマイナスイオン効果を発揮すると共に快眠効果を発揮する。また、頭皮からの汗や頭髪表面のヘヤー化粧品などによる細菌発生に対して抗菌作用材による抗菌効果が効果的に発揮される。
【００３７】
上記した健康増進製品へのマイナスイオン放出材および抗菌作用材の付与は、製品の素材自体にこれらの材料を含浸させてもよいが、転写紙による方法が効率的であり好ましい。このような転写紙としては、マイナスイオン放出材および抗菌作用材を含有する短繊維を付着させた転写紙が好ましい。
【００３８】
特に、台紙上に、剥離可能な接着剤を付着させ、前記接着剤上にマイナスイオン放出材および抗菌作用材を含有する短繊維を付着させ、前記短繊維上に樹脂を付着させ、さらに前記樹脂上に熱接着剤を付着させたことを特徴とする転写紙は、構造が簡素であり、コスト的にも有利である。なお、ここに言う熱接着剤とは、加熱により接着作用が行われる接着剤を言う。
【００３９】
以下に本考案を実施するための具体的な最良の形態を示すが、本考案は下記の形態に限定されるものではない。なお、図１ないし図５は、本考案の転写紙の製造方法の説明図であり、図６および図７は、本考案の転写紙の使用方法の説明図である。
【００４０】
はじめに、図１に示される通り、台紙１上の所望のエリアに接着剤２を付着させる。接着剤２は、最終的に、後述の短繊維３から剥離するため、剥離可能な接着剤を用いる。接着剤２の付着方法は、特に制限されないが、スクリーン印刷が例示される。
【００４１】
次に、マイナスイオン放出材および抗菌作用材を含有する短繊維３を、図２に示される通り、台紙１上に散布する。なお、短繊維３は、例えば、繊維とマイナスイオン放出材および抗菌作用材の粉体を、界面活性剤とともに煮沸して、繊維表面に付着させるなどの方法により得ることができる。
【００４２】
次に、ブラシあるいは圧搾空気などにより、図３に示される通り、接着剤２に付着していない短繊維３を除去し、その後、接着剤２を硬化させる。接着剤２の硬化は、接着剤２の材質により、自然硬化や加熱による硬化により行う。
【００４３】
次に、短繊維３上に樹脂を付着させる。樹脂の付着は、例えば以下の方法による。
【００４４】
図４に示される通り、台紙１上の接着剤２の付着部分と同形状に形成された凹部５を外面に有するローラー４を準備する。
【００４５】
次に、ローラー４の凹部５に、樹脂６を加熱して付着させる。
【００４６】
次に、ローラー４を、台紙１に近接させて、回転させ、台紙１上の接着剤２に付着した短繊維３上に、樹脂６を付着させる。樹脂６は、熱可塑性樹脂であれば特に制限されない。
【００４７】
次に、樹脂６が硬化する前に、ナイロン粉体などの加熱により接着作用が行われる熱接着剤７を、台紙１上に散布する。
【００４８】
次に、ブラシあるいは圧搾空気などにより、樹脂６に付着していない熱接着剤７を除去し、その後、樹脂６を硬化させ、樹脂６上に、熱接着剤７を強固に付着させる。
【００４９】
以上の工程により、図５に示されるマイナスイオン放出材および抗菌作用材を含有する転写紙８が得られる。
【００５０】
次に、転写紙８を、図６に示される通り、マイナスイオン放出材および抗菌作用材を付与する製品、例えば肌着９の上に置き、アイロンなどにより、加圧すると共に、加熱する。
【００５１】
これにより、熱接着剤７が溶けながら、転写紙８が肌着９上に接着する。
【００５２】
そして、第７図に示される通り、台紙１を接着剤２と共に、短繊維３から剥離する。
【００５３】
この様にして、肌着９上に形成されたマイナスイオン放出材および抗菌作用材を含有する短繊維３は、樹脂６に強固に支持されているため、肌着９から簡単に脱落することがない。
【００５４】
以上の様に、本考案の転写紙を用いることにより、マイナスイオン効果および抗菌効果を有する本考案の健康増進製品を容易に製造することができる。
【図面の簡単な説明】
【００５５】
【図１】本考案の転写紙の製造方法の説明図である。
【図２】本考案の転写紙の製造方法の説明図である。
【図３】本考案の転写紙の製造方法の説明図である。
【図４】本考案の転写紙の製造方法の説明図である。
【図５】本考案の転写紙の製造方法の説明図である。
【図６】本考案の転写紙の使用方法の説明図である。
【図７】本考案の転写紙の使用方法の説明図である。
【符号の説明】
【００５６】
１  台紙
２  接着剤
３  短繊維
４  ローラー
５  凹部
６  樹脂
７  熱接着剤
８  転写紙
９  肌着